(57)【要約】      （修正有）【課題】顧客に対し完成品の傘から選択させるのではなく、顧客が傘生地用デザインを指定してオンラインで一枚張りのオリジナル傘の注文ができる傘の注文処理法を提供する。【解決手段】傘の注文処理に関する情報を備えるサーバと、このサーバにインターネットを介して接続される一以上の顧客端末機を備える。サーバから提供される傘の注文処理アプリケーションにおいて、顧客が選択した傘生地用デザイン画像を、傘布形状にトリミングする画像トリミング部と、トリミングされたトリミングデザインを、傘布として傘画像に貼付したイメージ画像を生成し画面表示する画像生成部を含む画像処理プログラムと、顧客端末機から注文確定の情報がサーバへ送信される手順を含む。【選択図】図２
2020077252.tif 000002
【特許請求の範囲】
【請求項１】
傘の注文処理に関する情報を備えるサーバとこのサーバにインターネットを
介して接続される一以上の顧客端末機を備え、前記サーバから提供される傘の
注文処理アプリケーションにおいて、顧客が選択した傘生地用デザイン画像を
傘布形状にトリミングする画像トリミング部と、トリミングされたトリミング
デザインを傘布として傘画像に貼付したイメージ画像を生成し画面表示する画
像生成部を含む画像処理プログラムと、顧客端末機から注文確定の情報が前記
サーバへ送信される手順が含まれることを特徴とする傘の注文処理法。
【請求項２】
傘の注文処理に関する情報を備えるサーバとこのサーバにインターネットを
介して接続される一以上の顧客端末機を備え、サーバには顧客が選択した傘生
地用デザイン画像を顧客端末機の画面に表示させる画像表示部、画面に表示さ
れた傘生地デザイン画像を見やすいように拡大する画像拡大部、傘生地用デザ
イン画像を傘布形状にトリミングする画像トリミング部、そして傘画像にトリ
ミングされた画像が傘布として貼付されたイメージ画像を生成する画像生成部
を含む画像処理プログラムを含み、顧客端末機から前記サーバのホームページ
にアクセスがあると、前記サーバから複数の傘生地用見本デザイン画像情報が
前記顧客端末機へ送信され画像表示部により画面表示される手順と、顧客端末
機から顧客がその中から選択したデザイン画像の情報が前記サーバへ送信され
る手順と、前記サーバから前記の選択されたデザインを画像拡大部により拡大
しその拡大デザイン情報が前記顧客端末機へ送信され画面表示される手順と、
前記拡大デザイン画像から画像トリミング部により傘布形状にトリミングされ
たトリミングデザイン画像の情報が顧客端末機から前記サーバへ送信される手
手順と、画像生成部によりトリミングデザイン画像を傘布として傘画像に張り付けたイメージ画像が前記サーバから前記顧客端末機へ送信され画面表示される手順と、顧客端末機から注文確定の情報が前記サーバへ送信される手順が含まれることを特徴とする傘の注文処理法。
【請求項３】
傘の注文処理に関する情報を備えるサーバとこのサーバにインターネットを
介して接続される一以上の顧客端末機を備え、サーバには顧客が選択した傘生
地用デザイン画像を顧客端末機の画面に表示させる画像表示部、画面に表示さ
れた傘生地デザイン画像を見やすいように拡大する画像拡大部、傘生地用デザ
イン画像を傘布形状にトリミングする画像トリミング部、そして傘画像にトリ
ミングされた画像が傘布として貼付されたイメージ画像を生成する画像生成部
を含む画像処理プログラムを含み、顧客が顧客端末機に保存した傘生地用のデザイン画像の情報が顧客端末機から前記サーバへ送信される手順と、前記サーバから前記のデザイン画像を画像拡大部により拡大しその拡大デザイン画像情報が前記顧客端末機へ送信され画像表示部により画面表示される手順と、画像トリミング部によりデザイン画像から傘布形状にトリミングされたトリミングデザイン画像の情報が顧客端末機から前記サーバへ送信される手順と、画像生成部によりトリミングデザイン画像が傘画像に傘布として張り付けられたイメージ画像が前記サーバから前記顧客端末機へ送信され画面表示される手順と、顧客端末機から注文確定の情報が前記サーバへ送信される手順が含まれることを特徴とする傘の注文処理法。
【請求項４】
傘の注文処理に関する情報を備えるサーバとこのサーバにインターネットを
介して接続される一以上の顧客端末機を備える傘の注文処理法において、前記
サーバから顧客端末機にダウンロードされる傘の注文処理アプリケーションに
少なくとも顧客が選択した傘生地用デザイン画像を傘布形状にトリミングする
画像トリミング部と、トリミングされたトリミングデザインを傘布として傘画
像に貼付したイメージ画像を生成し画面表示する画像生成部を含む画像処理プ
ログラムと、顧客端末機から注文確定の情報が前記サーバへ送信される手順が
含まれることを特徴とする傘の注文処理法。
【請求項５】
傘の注文処理に関する情報を備えるサーバとこのサーバにインターネットを
介して接続される一以上の顧客端末機を備える傘の注文処理法において、前記
サーバから顧客端末機にダウンロードされる傘の注文処理アプリケーションに
少なくとも顧客が選択した傘生地用デザイン画像を傘布形状にトリミングする
画像トリミング部を含む画像処理プログラムが含まれることを特徴とする傘の
注文処理法。
【発明の詳細な説明】
【技術分野】
【０００１】
本発明は、特に一枚張りのオリジナル傘をオンラインで注文できる一枚張りのオリジナル傘の注文処理法に関する。
【背景技術】
【０００２】
近時、オンライン通信販売が気軽に利用され、種種雑多な商品がユーザーに提供されている。しかし、傘に関しては、例えば店舗側のホームページに表示された完成品の傘のどれかを選択して購入するといったオンライン販売方法は数多く見受けられるが、ユーザーが好みの傘生地用デザインを指定してオンラインで一枚張りのオリジナル傘を注文するといったオリジナル傘の注文処理法についてはまったく見られないというのが現状である。
【先行技術文献】
【特許文献】
【０００３】
【特許文献２】特開２００３−１１４９８１号
【特許文献３】特開２００２−１８３５２４号
【発明の概要】
【発明が解決しようとする課題】
【０００４】
本発明は、顧客に対し完成品の傘から選択させるのではなく、顧客が好みの傘生地用デザインを指定してオンラインで一枚張りのオリジナル傘の注文ができる傘の注文処理法を提供することにある。
【課題を解決するための手段】
【０００５】
本発明に係る傘の注文処理法は、傘の注文処理に関する情報を備えるサーバと
このサーバにインターネットを介して接続される一以上の顧客端末機を備え、前記サーバから提供される傘の注文処理アプリケーションにおいて、顧客が選択した傘生地用デザイン画像を傘布形状にトリミングできる画像トリミング部と、トリミングされたトリミングデザインを傘布として傘画像に貼付したイメージ画像を生成し画面表示する画像生成部を含む画像処理プログラムと、顧客端末機から注文確定の情報が前記サーバへ送信される手順が含まれる。
また、本発明に係る傘の注文処理法は、傘の注文処理に関する情報を備えるサ
ーバとこのサーバにインターネットを介して接続される一以上の顧客端末機を備え、サーバには顧客が選択した傘生地用デザイン画像を顧客端末機の画面に表示させる画像表示部、画面に表示された傘生地デザイン画像を見やすいように拡大する画像拡大部、傘生地用デザイン画像を傘布形状にトリミングできる画像トリミング部、そして傘画像にトリミングされた画像が傘布として貼付されたイメージ画像を生成する画像生成部を含む画像処理プログラムを含み、顧客端末機から前記サーバのホームページにアクセスがあると、前記サーバから複数の傘生地用見本デザイン画像情報が前記顧客端末機へ送信され画像表示部により画面表示される手順と、顧客端末機から顧客がその中から選択したデザイン画像の情報が前記サーバへ送信される手順と、前記サーバから前記の選択されたデザイン画像を画像拡大部により拡大しその拡大デザイン画像の情報が前記顧客端末機へ送信され画面表示される手順と、前記拡大デザイン画像から画像トリミング部により傘布形状にトリミングされたトリミングデザイン画像の情報が顧客端末機から前記サーバへ送信される手順と、画像生成部によりトリミングデザイン画像を傘布として傘画像に張り付けたイメージ画像が前記サーバから前記顧客端末機へ送信され画面表示される手順と、顧客端末機から注文確定の情報が前記サーバへ送信される手順が含まれる。
また、本発明に係る傘の注文処理法は、傘の注文処理に関する情報を備えるサ
ーバとこのサーバにインターネットを介して接続される一以上の顧客端末機を備え、サーバには顧客が選択した傘生地用デザイン画像を顧客端末機の画面に表示させる画像表示部、画面に表示された傘生地デザイン画像を見やすいように拡大する画像拡大部、傘生地用デザイン画像を傘布形状にトリミングする画像トリミング部、そして傘画像にトリミングされた画像が傘布として貼付されたイメージ画像を生成する画像生成部を含む画像処理プログラムを含み、顧客が顧客端末機に保存した傘生地用のデザイン画像の情報が顧客端末機から前記サーバへ送信される手順と、前記サーバから前記のデザイン画像を画像拡大部により拡大しその拡大デザイン画像情報が前記顧客端末機へ送信され画像表示部により画面表示される手順と、画像トリミング部により拡大デザイン画像から傘布形状にトリミングされたトリミングデザイン画像の情報が顧客端末機から前記サーバへ送信される手順と、画像生成部によりトリミングデザイン画像が傘画像に傘布として張り付けられたイメージ画像が前記サーバから前記顧客端末機へ送信され画面表示される手順と、顧客端末機から注文確定の情報が前記サーバへ送信される手順が含まれる。
また、本発明に係る傘の注文処理法は、傘の注文処理に関する情報を備えるサ
ーバとこのサーバにインターネットを介して接続される一以上の顧客端末機を備える傘の注文処理法において、前記サーバから顧客端末機にダウンロードされる傘の注文処理アプリケーションに少なくとも顧客が選択した傘生地用デザイン画像を傘布形状にトリミングできる画像トリミング部と、トリミングされたトリミングデザインを傘布として傘画像に貼付したイメージ画像を生成し画面表示する画像生成部を含む画像処理プログラムと、顧客端末機から注文確定の情報が前記サーバへ送信される手順が含まれる。
また、本発明に係る傘の注文処理法は、傘の注文処理に関する情報を備えるサ
ーバとこのサーバにインターネットを介して接続される一以上の顧客端末機を備える傘の注文処理法において、前記サーバから顧客端末機にダウンロードされる傘の注文処理アプリケーションに少なくとも顧客が選択した傘生地用デザイン画像を傘布形状にトリミングできる画像トリミング部を含む画像処理プログラムが含まれる。
【発明の効果】
【０００６】
本発明に係る傘の注文方法によれば、顧客は自分で決めた構図通りの一枚張りのオリジナル傘をオンラインで日本全国、そして世界のどこからも手軽にオーダーできる顕著な利点が得られる。
【図面の簡単な説明】
【０００７】
【図１】本発明に係る傘の注文方法の概略ブロック図である。
【図２】実施例１についてのフローチャート図である。
【図３】実施例２についてのフローチャート図である。
【図４】実施例３についてのフローチャート図である。
【図５】傘地用デザイン画像が表示された顧客端末機画面の概略図である。
【図６】傘の静止画３方向（上、横、斜め）のイメージ画像が表示された顧客端末機画面の概略図である。
【図７】顧客端末機画面に表示される各種のボタンの概略図である。
【発明を実施するための形態】
【０００８】
本発明に係る傘の注文方法は、傘の注文処理に関する情報を備えるサーバと
このサーバにインターネットを介して接続される一以上の顧客端末機を備え、前記サーバから提供される傘の注文処理アプリケーションにおいて、顧客が選択した傘生地用デザイン画像を傘布形状にトリミングできる画像トリミング部と、トリミングされたトリミングデザインを傘布として傘画像に貼付したイメージ画像を生成し画面表示する画像生成部を含む画像処理プログラムと、顧客端末機から注文確定の情報が前記サーバへ送信される手順が含まれる。
【実施例１】
【０００９】
以下、本発明の傘の注文方法について、実施例に基づき説明する。この実施例では図１に示すように、スマートホン、タブレット、パソコン等のインターネット接続可能な顧客端末機１と、顧客端末機１からのアクセスによりインターネット２を介して接続されるサーバ３、このサーバ３とインターネット２を介して接続される決済サーバ４と工場サーバ５が含まれている。この工場サーバ５は国内・国外いずれに置いてもよい。前記サーバ３は、ホームページをネット上に公開するＷＷＷサーバ６、画像処理用サーバ７、データベースサーバ８、電子メールの送受信の機能を備えるメールサーバ９、そしてサーバ３全体を制御する制御部１０を含んでいる。前記画像処理用サーバ７には、顧客が選択した傘生地用デザイン画像を顧客端末機１の画面に表示させる画像表示部１１、画面に表示された傘生地デザイン画像を見やすいように拡大する画像拡大部１２、傘生地用デザイン画像を傘布形状（傘に貼付する傘布の形状）にトリミングする画像トリミング部１３そして傘画像にトリミングされた画像が傘布として貼付されたイメージ画像を生成する画像生成部１４が画像処理プログラムとして顧客端末機１にダウンロードも可能に格納されている。また、前記データベースサーバ８には傘生地用見本デザイン画像データ１５、オーダー用メールフォームデータ１６、受発注フォームデータ１７、定型メールデータ１８などのデータが顧客端末機１にダウンロードも可能に格納されている。さらに前記画像処理プログラム、そして前記データベースサーバ８に格納された傘生地用見本デザイン画像、オーダー用メールフォーム、定型メールフォームのテンプレートなどが傘の注文アプリケーション（以下、注文アプリと呼ぶ。）として顧客端末機１端末機にダウンロードさせるアプリケーションダウンロード実行部１９が備えられている。
【００１０】
図２において、顧客からのアクセス（Ｓ１０１：Ｓはステップの略、手順の意味として以下使用する）に対して図５（１）に示されるように、サーバ３はデータベース８の傘生地用見本デザイン画像データ１５から抽出した傘生地用見本デザイン画像２０を送信し顧客の端末機１の画面に画像表示部１１により表示させる（Ｓ１０２）。顧客は端末機１に表示された複数の傘生地用デザイン２０から「ファイルを選択」ボタン２１をクリックし、好みのデザインを選び、この例では６番のデザイン画面をクリックすると顧客端末機１から選択した６番のデザイン画像の情報が前記サーバ３へ送信される（Ｓ１０３）。図５（２）に示されるように前記サーバ３は選択された６番のデザインを受信すると画像拡大部１２によりそのデザインは見やすく拡大され前記顧客端末機１へ送信される（Ｓ１０４）。ついで画像トリミング部１３により顧客が画面に表示された拡大されたデザインの画像からマウスを用いて気に入った部分を傘布形状にトリミングする。この実施例では八角形にトリミングされた領域（以下、トリミングデザイン２２と呼ぶ。）はトリミングデザイン情報として前記サーバ３へ送信される（Ｓ１０５）。そして、図６に示されるように、前記サーバ３に送信されたトリミングデザインは画像生成部１４により傘布として傘画像に貼り付けられ、傘の静止画３方向（上、横、斜め）のイメージ画像２３，２４，２５が前記顧客端末機１へ送信される（Ｓ１０６）。顧客は画面に表示された傘の静止画３方向（上、横、斜め）のイメージ画像を確認し修正する場合は修正ボタン（図示しない）をクリックすると前記ステップ１０３に戻る。注文する場合は画面に表示される「デザインを確定／オーダー」ボタン（図示しない）をクリックすれば（Ｓ１０８）前記サーバ３へその情報が送信され、前記サーバ３からオーダー用メールフォームや定型メールフォームが送信され画面に表示され（Ｓ１０９）、名前・メールアドレス・住所・電話番号・傘の種類選択・決済方法などを記入、オーダーしたデザイン情報とともに端末機１からオーダー用メールフォームが注文確定の情報として前記サーバ３へ送信されることとなる（Ｓ１１０）。
【実施例２】
【００１１】
さらに別の実施例２を図３に示す。
実施例1においては、顧客はサーバ３から送信された傘生地用見本デザインから好みのデザインを選択したが、この実施例２においては、顧客の端末機１の画面に表示された「保存画像ファイルを選択」ボタン２６をクリックすることにより顧客の端末機に保存されている画像を傘生地用のデザインとして選択できる。
図３において、顧客からのアクセス（Ｓ２０１）に対して図５（１）に示されるように、サーバ３は傘生地用見本デザイン画像を送信し顧客の端末機１の画面に画像表示部１１により表示させる（Ｓ２０２）。顧客が「保存したファイルを選択」ボタン２４をクリックし端末機１に保存されたデザイン画像を選ぶと顧客端末機１から選択したデザイン画像の情報が前記サーバ３へ送信される（Ｓ２０３）。前記サーバ３は選択されたデザイン画像を受信すると画像拡大部によりそのデザイン画像は拡大され前記顧客端末機１へ送信される（Ｓ２０４）。顧客は画面に表示された拡大されたデザインの画像からマウスを用いて気に入った部分を傘布形状にトリミングする。この実施例では八角形にトリミングすると画像トリミング部１３の働きにより八角形にトリミングされた領域はトリミングデザイン情報として前記サーバ３へ送信される（Ｓ２０５）。そして前記サーバ３へ送信されたトリミングデザインは画像生成部１４により傘画像の傘布として貼り付けられ、傘の静止画３方向（上、横、斜め）のイメージ画像を生成し前記顧客端末機１へ送信される（Ｓ２０６）。顧客は画面に表示された傘の静止画３方向（上、横、斜め）のイメージ画像を確認し修正する場合は修正ボタン（図示しない）をクリックすると前記ステップ２０３に戻る（Ｓ２０７）。注文する場合は画面に表示される「デザインを確定／オーダー」ボタン（図示しない）をクリックすれば（Ｓ２０８）、前記サーバ３へその情報が送信され、前記サーバ３からオーダー用メールフォームや定型メールフォームが送信され画面に表示され（Ｓ２０９）、名前・メールアドレス・住所・電話番号・傘の種類選択・決済方法などを記入、オーダーしたデザイン情報とともに端末機１からオーダー用メールフォームが注文確定の情報として前記サーバ３へ送信されることとなる（Ｓ２１０）。
【実施例３】
【００１２】
図４はその他の実施例３を示している。実施例１と実施例２では、顧客端末機１とサーバ３をインターネットで接続した状態で双方向通信により注文作業を実行したが、実施例３は、注文アプリを顧客端末機１にダウンロードさせ、いったん接続を切り、顧客端末機１側で作業を実行した後、サーバ３に接続し作業結果を送信できるものである。
顧客がサーバＨＰに表示された「注文アプリをダウンロード」ボタン（図示しない）をクリックするとサーバ３はアプリケーションダウンロード実行部１９によりオリジナル傘の注文アプリを顧客端末機に送信する（Ｓ３０１）（Ｓ３０２）。
顧客は注文アプリにある複数の傘生地用見本デザイン画像から、あるいは顧客端末機に保存されたデザイン画像から傘生地用デザイン画像を選択すると（Ｓ３０３）、選択されたデザイン画像は画像処理プログラムの画像表示部１１により拡大画像が画面に表示される（Ｓ３０４）。この拡大画像から画像処理プログラムの画像トリミング部１３により顧客が傘布形状にトリミングすると（Ｓ３０５）、画像生成部１４によりトリミングデザインは傘画像の傘布として貼り付けられ、傘の静止画３方向（上、横、斜め）のイメージ画像が生成され画面に表示される（Ｓ３０６）。そして、イメージ画像を確認し修正する場合は修正ボタン（図示しない）をクリックすると前記ステップ３０３に戻る（Ｓ３０７）。注文する注文する場合は画面に表示される「デザインを確定／オーダー」ボタン（図示しない）をクリックすれば（Ｓ３０７）オーダー用メールフォームが画面に表示され、名前・メールアドレス・住所・電話番号・傘の種類選択・決済方法などが記入されると、オーダーしたデザイン情報とともに端末機からオーダー用メールフォームが注文確定の情報として前記サーバ３へ送信されることとなる（Ｓ３０９）。
【００１３】
オーダー用メールフォームが注文確定の情報として前記サーバ３へ送信される以降においての処理手順は、実施例１〜実施例３は同じである。顧客へ受信コピーを受信承り連絡メールに添付して送信する（Ｓ１１１）とともに、決済情報がサーバから決済サーバ４へ送られ（Ｓ１１２）、かつ選択され保存した画像・オーダー用メールフォームは工場サーバ５へ送信される（Ｓ１１３）。工場側において製造についての可否が検討され製造の可否が工場サーバ５からサーバ３へ送信される（Ｓ１１４）。問題がない場合はサーバ３から工場サーバ５へ出荷依頼送信がなされ（Ｓ１１５）、工場で製造後、顧客に完成品のオリジナル傘が届けられることとなる。上記実施例では傘布形状である八角形にトリミングされてオーダーされるから、工場で八角形に傘生地を一括裁断して傘に貼り付けすればオーダーデザインそのままの一枚張りの傘が製造でき、また顧客へ提供することができる。尚、製造に問題がある場合は顧客に連絡メールが送信される。
【００１４】
図７は上記実施例に使用されるボタンである。「ファイルを選択」２１、「保存したファイルを選択」２６、「修正する」、「デザインを確定／オーダー」、「送信する」、「注文アプリをダウンロード」、「お問い合わせ」などが端末機１の画面に適宜に表示される。
【００１５】
尚、上記実施例１では６種類の傘生地用見本デザイン画像を表示したが、提供するデザインの数には限定されない、表示方法も実施例に限定されることなく任意な表示方法が適用可能である。また、上記実施例では、前記画像トリミング部１３により傘布形状に、実施例では八角形にトリミングされるよう設定されているが、十六角形その他傘に応じて任意に傘布形状にトリミングされるよう前記画像トリミング部１３を設定してもよい。さらにトリミングサイズの拡大・縮小、トリミング位置の可動についても任意にプログラミングし設定すればよい。さらにまた、上記実施例では、画像生成部１４により傘の静止画３方向（上、横、斜め）のイメージ画像を表示させたが、これについても実施例に限定されることなく画像の可動・拡大・縮小・動きのある３Ｄなど、任意な生成方法により様々なイメージ画像を表示するよう画像生成部１４をプログラムしてもよい。また、傘のサイズなどを選択できるようにしてもよいことは勿論である。またさらに、傘の種類についても折り畳んで収納できる折り畳み傘、折り畳めない傘、雨傘、日傘など本発明が適用可能な限り限定されない。
【００１６】
本発明に係る傘の注文方法によれば、顧客に対し完成品の傘から選択させるのではなく、顧客に提供される傘生地用見本デザイン画像から、あるいは顧客の所有するデザイン画像から好みのデザイン画像を選択し顧客みずからが構図を決めて傘布形状にトリミングしオンラインでの注文を可能としたことにより、スマホ、タブレット、パソコン等のネット接続可能な端末機があれば近所にオリジナル傘を制作する店舗がない地域でも、日本全国そして世界のどこからでも気軽に自分の構図通りの一枚張りオリジナル傘を購入することができ、個人はもちろん、学校や企業などの団体、祭り、フェスティバル、コンサートなどで一枚張りオリジナル傘を使用したいときにも非常に便利である。
【符号の説明】
【００１７】
１    顧客端末機
２    インターネット
３    サーバ
４    決済サーバ
５    工場サーバ
６    ＷＷＷサーバ
７    画像処理用サーバ
８    データベースサーバ
９    メールサーバ
１０  制御部
１１  画像表示部
１２  画像拡大部
１３  画像トリミング部
１４  画像生成部
１５  傘生地用見本デザイン画像データ
１６  オーダー用メールフォームデータ
１７  受発注フォームデータ
１８  定型メールフォームデータ
１９  アプリケーションダウンロード実行部
２０  傘生地用見本デザイン画像
２１「ファイル選択」ボタン
２２  トリミングデザイン
２３  イメージ画像（上）
２４  イメージ画像（横）
２５  イメージ画像（斜め）
２６  「保存画像ファイルを選択」ボタン
２７  サーバパソコン
【図１】
2020077252.tif 000003
【図２】
2020077252.tif 000004
【図３】
2020077252.tif 000005
【図４】
2020077252.tif 000006
【図５】
2020077252.tif 000007
【図６】
2020077252.tif 000008
【図７】
2020077252.tif 000009